(57)【特許請求の範囲】
【請求項１】
人の顔の鼻と口部分を覆う大きさの防塵マスクにおいて、鼻部分を覆い相対的に通気性の良い鼻マスク部と、顔の口部分を覆い相対的に防塵効果を高めた口マスク部とを一体に設け、上記鼻マスク部と口マスク部とを区切る仕切部を設け、上記仕切部は帯状に上記防塵マスクの内側に突出して形成され、この仕切部の両端側方に一対の紐状の保持部材が設けられ、前記保持部材を着用者の顔の前から後頭部に回して互いに連結されることにより、前記仕切部が鼻の下に付き、鼻と口の間で上記鼻マスク部と口マスク部の空間を仕切ることを特徴とする防塵マスク。
【請求項２】
上記口マスク部は、２枚の布地の間に立体メッシュ構造の保形部材が設けられ、この保形部材の下方または周囲に、口との間に空間を形成するポケット部を備えていることを特徴とする請求項１記載の防塵マスク。
【請求項３】
上記防塵マスクは人の頭部を覆う防塵フードの顔部分の開口部に設けられ、この防塵マスクの周縁部と上記防塵フードの間には、口との間に空間を形成する襠布が設けられていることを特徴とする請求項１または２記載の防塵マスク。
【発明の詳細な説明】
【０００１】
【発明の属する技術分野】
この発明は、半導体工場のクリーンルーム等で着用する防塵マスクに関する。
【０００２】
【従来の技術】
従来、クリーンルームで使用されるクリーンルーム用防塵服には、体全体を包んだ作業服に、さらに頭部を覆う帽子を被り、顔部分には鼻と口を塞ぐマスクを着用していた。このマスクは、通常鼻と口を一緒に覆う形状に形成され、呼吸時や会話時に、塵が排出されないように形成したものである。
【０００３】
【発明が解決しようとする課題】
ここで、人の呼吸の中で、鼻からの呼吸による塵は比較的少ないが、口からの息により排出される塵はきわめて多いという特徴がある。しかし、上記従来の技術のクリーンルーム用の防塵マスクの場合、塵の散乱を防止するには目の細かいものが良いが、マスクの目が細かいと呼吸しづらくなり着用感が悪く、作業性にも影響するという問題点があった。また、逆に目を粗くすると、塵の散乱が多くなり防塵効果が低くなるという、上記とは相反する問題があった。
【０００４】
この発明は、上記従来の技術の問題点に鑑みてなされたもので、簡単な構成で着用感が良く、人体からの塵の散乱を確実に防止することができる防塵マスクを提供することを目的とする。
【０００５】
【課題を解決するための手段】
この発明は、人の顔の鼻と口部分を覆う大きさの防塵マスクであって、鼻部分を覆い相対的に通気性の良い鼻マスク部と、顔の口部分を覆い相対的に防塵効果を高めた口マスク部とを一体に設け、上記鼻マスク部と口マスク部とを区切る仕切部を設けた防塵マスクである。上記仕切部は、帯状に上記防塵マスクの内側に突出して形成され、この仕切部の両端側方に紐部材や面ファスナ等の保持部材を設け、前記保持部材は着用者の顔の前から後頭部に回して互いに連結され、前記仕切部が鼻と口の間で上記鼻マスク部と口マスク部の空間を仕切るものである。
【０００６】
さらに、上記口マスク部は、２枚の布地の間に立体メッシュ構造の保形部材が設けられ、この保形部材の下方または周囲に、口との間に空間を形成するポケット部を備えている。
【０００７】
また、上記防塵マスクは、人の頭部を覆う防塵フードの顔部分の開口部に設けられ、この防塵マスクの周縁部と上記防塵フードの間には、口との間に空間を形成する襠布が設けられている。
【０００８】
【発明の実施の形態】
以下、この発明の実施形態について、図面に基づいて説明する。図１〜図４はこの発明の第一実施形態を示すもので、この実施形態の防塵マスク１０は、人の頭部を覆う防塵フード１２の顔部分の開口部１４に設けられている。この防塵マスク１０は、人の顔の鼻と口部分を覆う大きさのマスクであって、鼻部分を覆い相対的に通気性の良い鼻マスク部１６と、顔の口部分を多い相対的に防塵効果を高めた口マスク部１８とが一体に形成されている。
【０００９】
鼻マスク部１６と口マスク部１８との間の部分には、この鼻マスク部１６と口マスク部１８とを区切る仕切部２０が形成されている。仕切部２０は、防塵マスク１０の内側である顔側に帯状に突出して水平方向に形成され、この仕切部２０の両端には、保持部材である紐部材２１設けられている。紐部材２１は、この防塵マスク１０の両側方から所定距離延びて設けられている。そして、この紐部材２１を、顔の前から後頭部に回して縛ることにより、鼻と口の間の仕切部２０が鼻の下に付き、鼻マスク部１６と口マスク部１８の空間を仕切る。
【００１０】
鼻マスク部１６は、通気性を重視し、鼻の形状にフィットしやすい柔らかい伸縮性のニット地の布により形成されている。また、口マスク部１８には、２枚の布地の間に立体メッシュ構造の保形部材２２が設けられている。この口マスク部１８の外側の布地は、塵埃捕集性の高いもので防塵フード１２と同様の布地等で形成され、内側には、通気性の高いメッシュ地の布が用いられている。
【００１１】
この保形部材２２の下方から側縁部にかけては、口との間に空間を形成するポケット部２４を備えている。ポケット部２４は、口マスク部１８の内側に折返すように設けられ、使用状態において顎部分で広がるように形成されている。
【００１２】
さらに、この防塵マスク１０の口マスク部１８の周縁部と防塵フード１２の首部分との間には、口との間に空間を形成する襠布２６がポケット部２４に沿って取り付けられ、ポケット部位２４と防塵フード１２との間の開口を覆うとともに、適度な空間を形成するように設けられている。
【００１３】
この実施形態の防塵マスク１０によれば、鼻マスク部１６と口マスク部１８とを仕切部２０により区画し、紐部材２１を縛ることにより、鼻部分の鼻マスク部１６による空間と口部分の口マスク部１８による空間とが仕切られ、鼻部分は呼吸しやすく、口部分は塵を外へ出さない構造とすることができる。特に口の周囲に空間を形成し、さらに口の前の口マスク部１８内には立体メッシュの保形部材２２を設け、呼気がこの口マスク部周囲の空間及び保形部材２２内に滞留し、塵が外部に出ないようにしているので、極め高い防塵効果を有する。
【００１４】
次にこの発明の第二実施形態について図５〜図７を基にして説明する。ここで上述の実施形態と同様の部材は同一符号を付して説明を省略する。この実施形態の防塵マスク３０は、防塵フードとは別体に設けられたもので、図７に示すように、この防塵マスク３０の裏面には、図示しない防塵フードに取り付けるための保持部材である面ファスナ３２が設けられている。
【００１５】
この防塵マスク３０の鼻マスク部１６と口マスク部１８との間には、その間を仕切って帯状に水平方向に突出した仕切部３４が設けられている。面ファスナ３２で防塵フード取り付ける際、この仕切部３４が両側に引っ張られるようにして、この仕切部３４が、鼻と口の間に軽く圧接するように取り付ける。
【００１６】
この実施形態の防塵マスク１０によっても上記実施形態と同様の効果を得ることができ、さらに、防塵マスク１０が防塵フードから取り外し可能であり、不要な場合には外すこともでき、洗濯等も個別に可能である。
【００１７】
尚、この発明の防塵マスクは、上記実施形態に限定されず、その形状や構成は適宜設定可能であり、仕切部も人の鼻と口の間でマスク内に仕切が形成されるものであれば良い。また保持部材も紐や面ファスナの他、この防塵マスクを保持可能であり、仕切部を効果的に鼻の下方に保持させるものであれば良い。
【００１８】
【発明の効果】
この発明の防塵マスクは、鼻マスク部と口マスク部とを仕切部で分けたので、呼吸し易く、且つ防塵効果も高くすることができ、着用感が良好な防塵マスクを提供することができる。また、口マスク部にポケット等で空間を形成することにより、呼気の滞留を促し、塵の散乱を効果的に抑えることができ、きわめて高い防塵効果を得ることができる。
【図面の簡単な説明】
【図１】 この発明の第一実施形態の防塵マスクを備えた防塵フードの正面図である。
【図２】  この実施形態の防塵マスクの縦断面図である。
【図３】  この実施形態の防塵マスクの背面図である。
【図４】  この実施形態の防塵マスクの使用状態を示す斜視図である。
【図５】  この発明の第二実施形態の防塵マスクを備えた防塵フードの正面図である。
【図６】  この実施形態の防塵マスクの縦断面図である。
【図７】  この実施形態の防塵マスクの背面図である。
【符号の説明】
１０  防塵マスク
１２  防塵フード
１６  鼻マスク部
１８  口マスク部
２０  仕切部
２１  紐部材
２２  保形部材
２４  ポケット部
【図１】
0003854416.tif 000002
【図２】
0003854416.tif 000003
【図３】
0003854416.tif 000004
【図４】
0003854416.tif 000005
【図５】
0003854416.tif 000006
【図６】
0003854416.tif 000007
【図７】
0003854416.tif 000008